(57)【要約】      （修正有）【課題】被介護者に苦痛を与えず、少ない人員で介護サービスを行うことのできる介護ハウスを実現する。【解決手段】移動後もそのまま寝ることのできる網状板を張った吊り上げ枠を使用し、ベッドや娯楽設備、調理台５、非常用呼び出しボタン９等を備える生活室と、浴槽４を備える浴室を直線状に配置した介護ハウスの天井に設けたレール３により、ベッドＢと浴槽４間を吊り上げ移動して、寝ていた状態のまま入浴させる吊り上げ移動装置を備える。【選択図】図６
2009268884.tif 000002
【特許請求の範囲】
【請求項１】
ベッド上面の布団の外周に相当する枠体（１１）と、この枠体（１１）の内面に張られた網状板（１２）と、前記枠体（１１）の外周面に取り付けられた吊り上げ金具（１３）とからなる介護用の吊り上げ枠（１）。
【請求項２】
前記枠体（１１ａ、１１ｂ）が蝶番（１４）あるいはリンク機構を介して折り曲げ可能に長手方向に２分割されており、この２分割された枠体（１１ａ、１１ｂ）間に、１平面に伸ばした状態と、折り曲げた状態とをそれぞれ固定保持する係止手段（１５）を有し、吊り上げ金具が分割された両側にそれぞれ吊り上げ金具が取り付けられている請求項１に記載の介護用の吊り上げ枠（１ａ）。
【請求項３】
前記吊り上げ金具が、使用しないときには枠体（１１、１１ａ、１１ｂ）の側面に収納されて被介護者の身体に触れないようになっている請求項１または２に記載の介護用の吊り上げ枠（１、１ａ）。
【請求項４】
請求項１または２に記載の吊り上げ枠に被介護者を載せたまま、この吊り上げ枠を、天井部分に設けたレールにより移動する吊り上げ移動装置で吊り上げて、ベッドの上面の布団上と浴槽との間を移動することを特徴とする被介護者の入浴方法。
【請求項５】
ベッド（Ｂ）を備える生活室と、浴槽（４）を備える浴室とからなり、この両室を直線状に配置したことを特徴とする介護ハウス。
【請求項６】
請求項１または２に記載の吊り上げ枠（１、１ａ）に被介護者を載せたまま吊り上げてベッド（Ｂ）と浴槽（４）との間を移動する吊り上げ移動装置（２）用のレール（３）を前記生活室と前記浴室とを貫通して天井部分に設けたことを特徴とする請求項５に記載の介護ハウス。
【請求項７】
前記生活室にはテレビ受像機（８）等の娯楽設備、調理台（５）、非常用呼び出しボタン（９）等の生活用設備を備え、前記浴室には流し台、トイレ設備（６）等を備え、被介護者が前記生活室と浴室とだけでひととおりの生活を可能とした請求項５または６に記載の介護ハウス。
【発明の詳細な説明】
【技術分野】
【０００１】
本発明は、障害者等の被介護者を載せたまま吊り上げるための吊り上げ枠、これを使用する被介護者の入浴方法、ならびにこれを使用して少数の介護人により被介護者のひととおりの生活を可能とした完結型の介護ハウスに関する。
【背景技術】
【０００２】
高齢者や重度の身体障害者等にとって、家族の近くで、できるだけ健常者に近い生活を送ることが切実な望みであり、また介護に当たる家族や介護者にとっても、長期にわたる介護を、より少ない労力でより高いレベルに行うことが重要である。
病院や特別養護老人ホーム等の施設においては、相応の設備を整え、必要な介護サービスを実現できている場合が多いが、それなりに費用がかさみ、負担できない家族も多いし、真の血の通った介護となっていない場合もある。
【０００３】
入浴は、特に多くの日本人にとって欠かせない生活習慣であるが、最も人手を要する介護サービスのひとつであり、さまざまな省力手段が提案されている。
例えば特許文献１には、寝たきり老人等をベッド、あるいは簡易浴槽に移送する際に、容易かつ安全に操作できる介護用身体吊り上げ装置用の身体保持枠が記載されている。
この身体保持枠は、折り畳み可能なヒンジを備えた略長方形状のパイプ製の枠の外周部に、長さ方向に、張力を調節可能な身体保持シートを張って構成されている。被介護者に圧迫感を与えないため、２つ折りの状態で枠をベッドの位置に置き、枠を開き、身体保持シートの上面に被介護者を静かに載せ、シートを引いて張力をかけ、被介護者の体重が枠に均等にかかるようにしてから枠を上昇させて被介護者をベッドから持ち上げ、簡易浴槽の上まで移動させて被介護者の身体を浴槽の内部に沈めるのである。吊り上げや移動には専用の台車を使用する。
【０００４】
特許文献２には、被介護者をリフトを用いて入浴させるための浴槽形身体保持具が記載されている。従来この目的で用いられていた脇ベルト、膝ベルトは、身体の接触部分が圧迫されたり、着脱に時間がかかる欠点があり、また入浴後にベッドや寝具を濡らしやすい欠点もあった。特許文献２に記載の発明では、底板に前方板、後方板を設けた入浴枠体に、さらに両側面に着脱自在な側板を装着するようにして、前記の欠点を取り除くようにしたのである。
【０００５】
さらに特許文献３には、浴槽および車椅子、便座を収納する浴槽本体の上に、回転移動寝台および吊り上げ用ハンモックを一体構造として備える介護入浴装置が記載されている。この回転移動寝台を被介護者の位置まで移動させ、被介護者をハンモックで吊り上げ、寝台を回転移動させて外し、ハンモックを吊り下げて入浴等を行うのである。
【特許文献１】特開平８−２８０７５２号公報
【特許文献２】特開平８−１９６５９７号公報
【特許文献３】特開２００３−１８０７８８号公報
【発明の開示】
【発明が解決しようとする課題】
【０００６】
前記の各特許文献に記載の発明においては、まず第１に被介護者を入浴させようというとき、それまで寝ていたベッドから何らかの移送装置に被介護者を載せ変えることが必要で、安全性を考慮すればこれには少なくとも２名の介護者を必要とする。第２に、特許文献１に記載の発明を除いて、いずれも移送装置において、被介護者を座った姿勢、あるいは膝を折った蹲居などの姿勢をとらせてベルト等で拘束するので、身体が圧迫され、苦痛が大きいという問題点がある。
【０００７】
本発明は、載せかえるという作業を不要として、ベッドに寝ていた状態のまま入浴させることを第１の目的とし、さらに被介護者の身体の拘束を少なくして苦痛なく入浴その他を行えるようにすることを第２の目的として、介護用の吊り上げ枠を提供するとともに、テレビ観賞をはじめとして食事、排便、入浴などの日常生活を少ない介護者で行えるようにした完結型の介護ハウスを実現することを目的とする。
【課題を解決するための手段】
【０００８】
請求項１に記載の本発明は、ベッド上面の布団の外周に相当する枠体と、この枠体の内面に張られた網状板と、前記枠体の長さ方向中央部に取り付けられた吊り上げ金具とからなる介護用の吊り上げ枠である。
請求項２に記載の本発明は、前記枠体が蝶番あるいはリンク機構を介して折り曲げ可能に長手方向に２分割されており、この２分割された枠体間に、１平面に伸ばした状態と、折り曲げた状態とをそれぞれ固定保持する係止手段を有し、吊り上げ金具が分割された両側にそれぞれ吊り上げ金具が取り付けられている請求項１に記載の介護用の吊り上げ枠である。
【０００９】
請求項３に記載の本発明は、前記吊り上げ金具が、使用しないときには枠体の側面に収納されて被介護者の身体に触れないようになっている請求項１または２に記載の介護用の吊り上げ枠である。
請求項４に記載の本発明は、請求項１に記載の吊り上げ枠に被介護者を載せたまま、この吊り上げ枠を、天井部分に設けたレールにより移動する吊り上げ移動装置で吊り上げて、ベッドの上面の布団上と浴槽との間を移動することを特徴とする被介護者の入浴方法である。
【００１０】
請求項５に記載の本発明は、ベッドを備える生活室と、浴槽を備える浴室とからなり、この両室を直線状に配置したことを特徴とする介護ハウスである。
請求項６に記載の本発明は、請求項１に記載の吊り上げ枠に被介護者を載せたまま吊り上げてベッドと浴槽との間を移動する吊り上げ移動装置用のレールを前記生活室と前記浴室とを貫通して天井部分に設けたことを特徴とする請求項３に記載の介護ハウスである。
【００１１】
さらに請求項７に記載の本発明は、前記生活室にはテレビ受像機等の娯楽設備、調理台、非常用呼び出しボタン等の生活用設備を備え、前記浴室には流し台、トイレ設備等を備え、被介護者が前記生活室と浴室とだけでひととおりの生活を可能とした請求項３または４に記載の介護ハウスである。
【発明の効果】
【００１２】
本発明によれば、被介護者を入浴の際にわざわざ吊り上げ枠に載せかえる作業が不要であり、また身体を必要以上に圧迫しないから被介護者の苦痛も少ない上、少ない人員で入浴をはじめとするさまざまな介護サービスが実現できるので家族の負担が少なく、より快適な介護生活が実現するという、すぐれた効果を奏する。
【発明を実施するための最良の形態】
【００１３】
以下本発明の好適な実施例を図面により説明する。
図１は、請求項１に記載の本発明の実施例の介護用の吊り上げ枠１を示す斜視図で、１１は枠体、１２は網状板、１３は吊り上げ金具である。枠体１１はベッド上面の布団の外周に相当する長方形状である。補強のため、中央部等に適宜つなぎ梁を設けてもよい。材質は金属、樹脂、木材などであるが、軽量で丈夫であるという点でアルミニウムなどが好適である。枠体１１の内面には網状板１２が張られている。網状板１２も軽量で強度があり、かつ通気性を有するものとして金網、エキスパンドメタル、あるいは孔あき金属板などが好適である。寝ている場合のゴツゴツ感をなくすため、金網は目の細かいもの、エキスパンドメタルはロール通しをして凹凸をなくしたものなどが望ましい。
【００１４】
枠体１１および網状板１２は、直接身体が触れても冷たくないよう、また防錆性も考慮して、ポリエステル樹脂等で塗装するとよい。
枠体１１の外周面に、吊り上げ金具１３を取り付ける。安定して吊り上げるために、吊り上げ金具は少なくとも４個は必要である。そしてその取り付け位置は、枠体１１の中央付近に、被介護者が載った状態でほぼ水平が保たれるよう、重心を考慮してやや偏らせることが好ましい。
【００１５】
一方図２、図３は、請求項２に記載の本発明の実施例の介護用の吊り上げ枠１ａを示す斜視図である。吊り上げ枠１ａ全体はベッド上面の布団の外周に相当する長方形状であるが、枠体１１ａ、１１ｂが蝶番１４を介して折り曲げ可能に長手方向に２分割されている。図２は吊り上げ枠１ａを１平面に伸ばした状態、図３は折り曲げた状態である。吊り上げ金具１３は分割された両側の枠体１１ａ、１１ｂのそれぞれに取り付けられている。この例では体重のかかる枠体１１ａに４か所、上体を支える枠体１１ｂに１か所取り付けている。なお、枠体１１ａ、１１ｂの内面に網状板１２が張られているのは図１のものと同様である。また蝶番１４は、同様の折り曲げ機能を有するリンク機構などでもよい。
【００１６】
２分割された枠体１１ａ、１１ｂの間に、１平面に伸ばした状態と、折り曲げた状態とをそれぞれ固定保持する係止手段１５を設けることが必要である。図３は係止手段１５の一例を示す吊り上げ枠１ａの部分側面図である。この例では一方の枠体１１ａに設けられたピンを支点とする短冊状の板先端の切り込みが、他方の枠体１１ｂに取り付けられた係止ピンに係止されるようになっており、切り込みは伸ばした状態、折り曲げた状態に合わせて複数箇所に設けられているが、逆に切り込みを１か所にして、係止ピンを複数本設けてもよい。また係止手段としては、蝶番１４そのものを所定の角度で固定するなど、他にもさまざまな機構のものが考えられる。
【００１７】
このように枠体を折り曲げ可能とすることにより、必要に応じて被介護者の上半身を起こし、楽な姿勢をとらせることができる。この他、一方の枠体に、アームレストやベルトなどを取り付けることも任意である。
また、前記吊り上げ金具１３は折り曲げ式、回転式などの構造として、使用しないときには枠体の側面に収納されて被介護者の身体に触れないようにすることが好ましい。
【００１８】
ベッドに寝ている状態における吊り上げ枠１の使用方法の一例を図５に示す。Ｂはベッドの本体、Ｍはその上に置かれるマットレス、Ｓ1、Ｓ2は縦方向に２分割された分割シーツである。
マットレスＭの上に吊り上げ枠１を置き、分割シーツＳ1、Ｓ2を中央部分が100ｍｍ程度重なるようにして敷く。そしてこの上に被介護者を寝かせるのである。このようにすると、被介護者の身体をわずかに回転させる（寝返りさせる）だけで分割シーツＳ1、Ｓ2を挿入したり取り外したりできる。したがって、１名の介護者で作業が可能である。
【００１９】
ベッドに寝る場合にも、吊り上げ枠１を取り外す必要はない。網状板１２はしなやかで下にはマットレスがあり、表面にはシーツがあるので寝ていても違和感はなく、通気性があり夏季にも汗ばむことがないから、褥瘡、いわゆる「床ずれ」を起こすおそれがなく、むしろ快適である。そして、平常から吊り上げ枠１に載った状態でいるから、入浴に際しても、被介護者をわざわざ吊り上げ枠に載せたり、下ろしたりする必要がないのである。
【００２０】
図６は、請求項４に記載の介護ハウスの一実施例を示す平面図である。この介護ハウスはベッドＢを備える生活室と、浴槽４を備える浴室の２室からなり、両室は直線上に配置され、天井部分には、請求項５に記載のとおり、被介護者を前記の吊り上げ枠に載せたまま吊り上げてベッドＢと浴槽４との間を移動する吊り上げ移動装置用のレール３が取り付けられている。レールは勾配がないよう、水平に取り付ける。この状態を図７に示す。両室間は目隠し程度の壁で仕切り、浴室の入り口には開き戸式のビニルカーテンなどを設けるとよい。
【００２１】
その他、図６において５は調理台、６はトイレ設備、７は湯沸かしユニット、８はテレビ受像機、９は被介護者が非常の場合に連絡をする非常用呼び出しボタンである。調理台５では食物を温めたり、盛り付けたりする。湯沸かしユニット７は入浴やシャワー用の湯や飲食用の湯を沸かす。このほかに特に図示しないが換気扇、空調機、電話機等を適宜備えることにより、請求項６に記載のとおり、被介護者にとってひととおりの生活が可能である。外壁、屋根、天井等には、断熱性のものを使用するか、断熱材を挿入するとよい。行動範囲がこの介護ハウス内に限定されているので、介護者が不在の場合の監視用のモニタカメラなどの設置も容易である。
【００２２】
図８は、吊り上げ移動装置２の一実施例を示す説明図で、２１は電動巻き上げ機、２２は走行台車、２３は吊り上げフック、２４は吊り上げロープ、２５は操作スイッチである。電動巻き上げ機２１としては、家庭用の交流100Ｖで使用できる巻き上げ容量100ｋｇ程度のものが市販されており、手頃である。過巻き上げ時に停止する安全機構を備えるものが好ましい。走行台車２２は、前記の天井部分に設けられたレール３を走行するもので、車輪を有するが、レール３は水平であるから介護者が手で移動させることも容易であり、必ずしも電動でなくてもよい。
【００２３】
電動巻き上げ機２１に取り付けられた吊り上げフック２３に、吊り上げロープ２４を介して吊り上げ枠１を取り付け、押しボタン式などの操作スイッチ２５を操作して吊り上げおよび吊り下ろしを行う。吊り上げロープ２４は浴槽内にも入るのでステンレス鋼のワイヤロープがよい。また身体が触れる可能性が大きいから、冷たさを感じないために外側にビニルチューブなどをかぶせるとよい。下端は取り外し容易なＳ字形のフックなどにすることが望ましい。吊り上げロープ２４の本数を吊り上げ枠１の吊り上げ金具の数と合わせることは、いうまでもない。
【００２４】
吊り上げ枠１が安定して水平に吊られていれば、１名の介護者でベッドと浴槽間の移送や浴室における身体の洗浄などのすべての作業を行うことができる。
以上、従来最も人手を要していた入浴の例で説明したが、本発明においては、食事、排便その他の介護サービスもこれに準じて少ない人員で行うことができる。
【図面の簡単な説明】
【００２５】
【図１】本発明実施例の吊り上げ枠を示す斜視図である。
【図２】本発明の吊り上げ枠の他の実施例を示す斜視図である。
【図３】図２の吊り上げ枠の折り曲げた状態を示す斜視図である。
【図４】図２の吊り上げ枠の一部を示す部分側面図である。
【図５】図１〜３に示した吊り上げ枠の使用方法を説明する説明図である。
【図６】本発明実施例の介護ハウスを示す平面図である。
【図７】図３に示した介護ハウスの一部を示す斜視図である。
【図８】本発明実施例における吊り上げ移動装置の説明図である。
【符号の説明】
【００２６】
１、１ａ    吊り上げ枠
２    吊り上げ移動装置
３    レール
４    浴槽
５    調理台
６    トイレ設備
７    湯沸かしユニット
８    テレビ受像機
９    非常用呼び出しボタン
１１、１１ａ、１１ｂ    枠体
１２    網状板
１３    吊り上げ金具
１４    蝶番
１５    係止手段
２１    電動巻き上げ機
２２    走行台車
２３    吊り上げフック
２４    吊り上げロープ
２５    操作スイッチ
Ｂ    ベッド
Ｍ    マットレス
Ｓ1、Ｓ2    シーツ
【図１】
2009268884.tif 000003
【図２】
2009268884.tif 000004
【図３】
2009268884.tif 000005
【図４】
2009268884.tif 000006
【図５】
2009268884.tif 000007
【図６】
2009268884.tif 000008
【図７】
2009268884.tif 000009
【図８】
2009268884.tif 000010